(57)【要約】【課題】本発明は、室内空気と高温ガスを混合して暖房に用いる温風暖房装置に関するもので、温風暖房時に、マイナスイオンを効率よく多量に発生させ補充することで、快適性の高い暖房装置の実現を目的としたものである。【解決手段】送風機１８からの空気流路の適所に放電式のマイナスイオン発生手段２２を配設して、締め切った部屋で長時間使われても、マイナスイオンが補充され、室内環境を高品位に保ちつつ室内全体も暖房することができ、また、マイナスイオン発生手段２２から発生したマイナスイオンが該機器から放出されるまで、該機器の電気的アース面に接触しない位置にマイナスイオン発生手段２２を配設して、マイナスイオン発生手段２２から発生したマイナスイオンが該機器から放出されるまで、該機器の電気的アース面に接触して減衰するのを防止出来る。【選択図】  図１
2004190970.tif 000002
【特許請求の範囲】
【請求項１】
高温ガス発生手段と、空気流を供給する送風機と、前記送風機からの空気流と高温ガス発生手段からの高温ガスを混合して温風として排出する温風吹出口と、電気的アース面を有する金属筐体とを備え、前記送風機からの空気流路の適所に放電式のマイナスイオン発生手段を配設するとともに、前記マイナスイオン発生手段から発生したマイナスイオンが機器から放出されるまで、機器の電気的アース面に接触しないようにした温風暖房装置。
【請求項２】
燃料を燃焼させるバーナ部と、燃焼状態を検出するフレームロッドと、空気流を供給する送風機と、前記送風機からの空気流とバーナ部からの高温ガスを混合あるいは熱交換して温風として排出する温風吹出口と、前記フレームロッドのアース面を有する金属筐体とを備え、前記送風機からの空気流路の適所に放電式のマイナスイオン発生手段を配設するとともに、前記マイナスイオン発生手段から発生したマイナスイオンが機器から放出されるまで、機器の電気的アース面に接触しないようにした請求項１記載の温風暖房装置。
【請求項３】
マイナスイオン発生手段に送風機からの空気流が直接的に接触しないように、マイナスイオン発生手段の上流側の送風機からの空気流路途中の適所に遮蔽体を配設して、マイナスイオン発生手段から発生したマイナスイオンをマイナスイオン発生手段の周囲を流れる送風機からの空気流で拡散させてなる請求項１または２項記載の温風暖房装置。
【請求項４】
マイナスイオン発生手段の下流側の空気流路の壁面は、マイナスイオン量を減少させないように、電気絶縁体で形成してなる請求項１〜３のいずれか１項記載の温風暖房装置。
【請求項５】
マイナスイオン発生手段の下流側の空気流路の壁表面は、マイナスイオン量を減少させないように、絶縁性塗料を施すかあるいは絶縁性塗料をプレコートした塗装鋼板で形成してなる請求項１〜４のいずれか１項記載の温風暖房装置。
【発明の詳細な説明】
【０００１】
【発明の属する技術分野】
本発明は、室内空気と高温ガスを混合して暖房に用いる温風暖房装置に関するものである。
【０００２】
【従来の技術】
従来この種の温風暖房装置は図６に示すように、タンク１にカートリッジタンク２から燃料が供給され、同タンク２の燃料はポンプ３によって気化部４に供給される。そしてこの気化部４で気化されて燃料ガスとなり、ノズル５より水平方向に噴出される。このノズル５から噴出された燃料は、エジェクタ効果により一次空気を吸引しながら気化部４の下流側に離れて設けた混合管６内に噴出され、ここで混合して混合管６と一体のライン形状のバーナ部７に供給され燃焼される。生じた燃焼ガスは、バーナ部７の周囲を覆うように配設された燃焼筒８で上方へ導かれ、上記燃焼筒８を覆ったダクト９で送風機１０からの室内空気流と混合され、温風として排出されて暖房に利用される。そして、この温風暖房装置は室温と設定温度に応じて、ポンプ３の駆動周波数や印加電圧を変えて燃料供給量を自動調節するなど、制御器で予め決められたシーケンスで所定の動作をするように制御されている。このように、従来の温風暖房装置は、マイナスイオン発生手段を設けていないものが一般的であった。
【０００３】
しかしながら、近年、健康面に関する関心が高まり、温風吹出口に数種類のセラミックを混合して得られた複合セラミック等、マイナスイオン発生手段を取り付け、積極的にマイナスイオンを室内に供給するようにした機器が開発されている（特許文献１参照）。
【０００４】
【特許文献１】
特開平１１−２１１２３６号公報
【０００５】
【発明が解決しようとする課題】
上記のマイナスイオン発生手段を設けていない温風暖房装置は、主に冬場の室内の暖房に使われるため、締め切った部屋で長時間使われて、室内環境としては、室内温度は設定した温度に保たれるものの、空質という面ではあまりよくない場合の使われ方が多く、ホコリっぽかったり、炭酸ガス等が増え、つまり、室内の空気に含まれる、喫煙成分、臭気、ホルムアルデヒド等のＶＯＣ、その他の化学物質、一酸化炭素、二酸化炭素、オゾン、細菌・かび・ウイルスといった微生物の蓄積、またそして、マイナスイオンの減少などが生じるという悪環境での使われ方をなされる場面が多々想定された。
【０００６】
また、上述の従来例の暖房熱源を燃焼熱を用いたものにおいては、燃焼の炎プラズマ効果によって、多量のプラスイオンとマイナスイオンをほぼ同量発生するが、マイナスイオンは室内のホコリ等によって早く消失するので、結果的に、室内のプラスイオンとマイナスイオンのバランスが崩れ、プラスイオンとマイナスイオンのイオン比が大きくなり過ぎていまい、室内温度は設定した温度に保たれるものの、室内環境が悪化する心配があった。
【０００７】
また、温風吹出口にマイナスイオンを発生する物質を取り付けたものにあっては、所定量のマイナスイオンを確保しようとする場合、かなり大きな容積を必要とし温風吹出口全体にマイナスイオンを発生する物質を配設することになる。この場合、温風吹出口で風路抵抗が増大し適正な風量が確保できなくなったり、機器内の温度が異常に上昇する等の問題が発生する。
【０００８】
そこで本発明は上記課題を解決するとともに、温風暖房時にマイナスイオンを効率よく多量に発生させ補充することで、プラスイオンとマイナスイオンのバランスを改善させ室内環境を高品位に保ちつつ、室内全体も暖房することのできる快適性の高い暖房装置の実現を目的としたものである。
【０００９】
【課題を解決するための手段】
本発明は上記課題を解決するため、高温ガス発生手段と、空気流を供給する送風機と、前記送風機からの空気流と高温ガス発生手段からの高温ガスを混合して温風として排出する温風吹出口と、電気的アース面を有する金属筐体とを備え、前記送風機からの空気流路の適所に放電式のマイナスイオン発生手段を配設するとともに、前記マイナスイオン発生手段から発生したマイナスイオンが機器から放出されるまで、機器の電気的アース面に接触しないような構成としてある。
【００１０】
上記発明によれば、送風機からの空気流路の適所に放電式のマイナスイオン発生手段を配設してあるので、風路抵抗になることもなく、締め切った部屋で長時間使われても、マイナスイオンが補充され、プラスイオンとマイナスイオンのイオン比が大きくなり過ぎるのを防止でき、室内環境を高品位に保ちつつ、室内全体も暖房することができるようになる。
【００１１】
また、放電式のマイナスイオン発生手段から発生したマイナスイオンが機器から放出されるまで、機器の電気的アース面に接触しない位置にマイナスイオン発生手段を配設してあるので、マイナスイオン発生手段から発生したマイナスイオンが金属筐体の電気的アース面に接触して減衰するのを防止でき、機器から効率よく多量に放出することができ、快適性の高い暖房装置を提供することができる。
【００１２】
さらに、空気流路の適所にマイナスイオン発生手段を配設してあるので、マイナスイオン発生手段から放出されたマイナスイオンが温風によって部屋全体まで到達させることができ、マイナスイオンの効果をより効果的に発揮させることができるとともに、送風手段も機器の温風発生用とマイナスイオン用を兼ねることができ、構成も簡単で安価に提供できる。
【００１３】
【発明の実施の形態】
請求項１記載の温風暖房装置は、高温ガス発生手段と、空気流を供給する送風機と、前記送風機からの空気流と高温ガス発生手段からの高温ガスを混合して温風として排出する温風吹出口と、電気的アース面を有する金属筐体とを備え、前記送風機からの空気流路の適所に放電式のマイナスイオン発生手段を配設するとともに、前記マイナスイオン発生手段から発生したマイナスイオンが機器から放出されるまで、機器の電気的アース面に接触しないような構成としてある。
【００１４】
上記発明によれば、送風機からの空気流路の適所に放電式のマイナスイオン発生手段を配設してあるので、風路抵抗になることもなく、締め切った部屋で長時間使われても、マイナスイオンが補充され、プラスイオンとマイナスイオンのイオン比が大きくなり過ぎるのを防止でき、室内環境を高品位に保ちつつ、室内全体も暖房することができるようになる。
【００１５】
また、放電式のマイナスイオン発生手段から発生したマイナスイオンが機器から放出されるまで、機器の電気的アース面に接触しない位置にマイナスイオン発生手段を配設してあるので、マイナスイオン発生手段から発生したマイナスイオンが金属筐体の電気的アース面に接触して減衰するのを防止でき、機器から効率よく多量に放出することができ、快適性の高い暖房装置を提供することができる。
【００１６】
さらに、空気流路の適所にマイナスイオン発生手段を配設してあるので、マイナスイオン発生手段から放出されたマイナスイオンが温風によって部屋全体まで到達させることができ、マイナスイオンの効果をより効果的に発揮させることができるとともに、送風手段も機器の温風発生用とマイナスイオン用を兼ねることができ、構成も簡単で安価に提供できる。
【００１７】
また、請求項２記載の温風暖房装置は、燃料を燃焼させるバーナ部と、燃焼状態を検出するフレームロッドと、空気流を供給する送風機と、前記送風機からの空気流とバーナ部からの高温ガスを混合あるいは熱交換して温風として排出する温風吹出口と、前記フレームロッドのアース面を有する金属筐体とを備え、前記送風機からの空気流路の適所に放電式のマイナスイオン発生手段を配設するとともに、前記マイナスイオン発生手段から発生したマイナスイオンが機器から放出されるまで、機器の電気的アース面に接触しないような構成としてある。
【００１８】
そして、室内のプラスイオンとマイナスイオンのバランスが崩れ、プラスイオンとマイナスイオンのイオン比が大きくなりやすい暖房熱源を燃焼熱を用いたものにおいても、請求項１に記載の効果が得られ、上記送風機からの空気流路の適所にマイナスイオン発生手段を配設してあるので、マイナスイオンが補充され、締め切った部屋で長時間使われても、プラスイオンとマイナスイオンのイオン比が大きくなり過ぎるのを防止出来、室内環境を高品位に保ちつつ、室内全体も暖房することができるようになる。
【００１９】
また、マイナスイオン発生手段から発生したマイナスイオンが該機器から放出されるまで、該機器の電気的アース面に接触しない位置にマイナスイオン発生手段を配設してあるので、マイナスイオン発生手段から発生したマイナスイオンが該機器から放出されるまで、該機器の電気的アース面に接触して減衰するのを防止出来、該機器から効率よく多量に放出することができ、適性の高い暖房装置を提供することができる。
【００２０】
さらに、空気流路の適所にマイナスイオン発生手段を配設してあるので、マイナスイオン発生手段から放出されたマイナスイオンが温風によって、部屋全体まで到達させることが出来るようになり、マイナスイオンの効果がより効果的に発揮させることが出来るようになる。
【００２１】
また、請求項３記載の温風暖房装置は、マイナスイオン発生手段に送風機からの空気流が直接的に接触しないように、マイナスイオン発生手段の上流側の送風機からの空気流路途中の適所に遮蔽体を配設して、マイナスイオン発生手段から発生したマイナスイオンをマイナスイオン発生手段の周囲を流れる送風機からの空気流で拡散させる構成としてある。
【００２２】
そして、マイナスイオン発生手段の上流側の送風機からの空気流路途中の適所に遮蔽体を配設して、マイナスイオン発生手段から発生したマイナスイオンをマイナスイオン発生手段の周囲を流れる送風機からの空気流で拡散させる構成としてあるので、マイナスイオン発生手段に送風機からの空気流が直接的に接触しないようにすることができ、送風機からの空気流に混入したホコリなどの異物がマイナスイオン発生手段に堆積して、マイナスイオン量の発生を妨げたり、あるいは、ほこりからの発火・発煙を生じることを防止することが出来、経年的に安定したマイナスイオン量の発生が得られると共に、安全性の高い機器を得ることが出来る。
【００２３】
また、請求項４記載の温風暖房装置は、マイナスイオン発生手段の下流側の空気流路の壁面は、マイナスイオン量を減少させないように、電気絶縁体で形成する構成としてある。
【００２４】
そして、マイナスイオン発生手段の下流側の空気流路の壁面は、マイナスイオン量を減少させないように、電気絶縁体で形成してあるので、機器内部の設計的制約で、マイナスイオン発生手段の放出部が機器の奥まったところに位置しても、例えば下流側の空気流路が、該機器の電気的アース面に接続された壁で構成されても、その壁面を樹脂材料等の電気絶縁体で覆うなど、下流側の空気流路を電気絶縁体で形成することで、マイナスイオン発生手段から放出されたマイナスイオン量の減少を防止つつ、マイナスイオン発生手段の配置の設計的制約を大幅に緩和することが出来るようになる。
【００２５】
また、請求項５記載の温風暖房装置は、マイナスイオン発生手段の下流側の空気流路の表面は、マイナスイオン量を減少させないように、絶縁性塗料を施すかあるいは絶縁性塗料をプレコートした塗装鋼板で形成する構成としてある。
【００２６】
そして、マイナスイオン発生手段の下流側の空気流路の表面は、マイナスイオン量を減少させないように、絶縁性塗料を施すかあるいは絶縁性塗料をプレコートした塗装鋼板で形成してあるので、請求項４の効果が簡単な構成で得られる。
【００２７】
つまり、機器内部の設計的制約で、マイナスイオン発生手段の下流側の空気流路が、該機器の電気的アース面に接続された壁で構成されても、その壁面を電気絶縁性を保持させる処理例えば絶縁性塗料を施すかあるいは電気絶縁性を保持した材料例えば絶縁性塗料をプレコートした塗装鋼板で形成するなど、下流側の空気流路の壁表面を電気絶縁性を持たせるようにして、マイナスイオン発生手段から放出されたマイナスイオンの減少を防止つつ、マイナスイオン発生手段の配置の設計的制約を大幅に緩和することが出来るようになる。
【００２８】
また、空気流路を電気絶縁体で形成する手段を、絶縁性塗料を施すかあるいは絶縁性塗料をプレコートした塗装鋼板で形成するなど壁表面のみを電気絶縁性を持たせるようにすることで、請求項４の樹脂材料等の電気絶縁体で覆う構成の効果に加え、高耐熱性を得ることが出来、樹脂材料部分の変形や発火・発煙などの心配が無くなり、さらに、構成が簡単となり安価にすることができる。
【００２９】
【実施例】
以下、本発明の実施例について図面を用いて説明する。
【００３０】
（実施例１）
図１は本発明の実施例の温風暖房装置の要部断面図、図２は同装置の断面図、図３は同装置の制御ブロック図である。
【００３１】
図１、図２において、１１は電気的アース面を有する金属筐体で構成した本体ケースで、その下方側部に液体燃料を保有するタンク１２と、そのタンク１２上部に着脱自在なカートリッジタンク１３が配設してある。１４はタンク１２の上面に取り付けたポンプで、その上端から送油パイプ１５を介して高温ガス発生手段であるバーナ部１６に燃料を供給するようになっている。バーナ部１６は、発生した燃焼ガスを上方へ導くように配設した全面上部に開口部を有する有天状の筒形形状の燃焼筒１７で覆われ、また燃焼筒１７の背部には室内空気流を取入れ送出する送風機１８が配設してあり、その送風機１８からの空気流の一部は燃焼筒１７内に取り込まれ、燃焼用空気として用いられている。
【００３２】
１９は上記燃焼筒１７から高温の燃焼排ガスと送風機１８からの室内空気流を混合し下流側で温風とする送風経路を形成するダクトで、混合されてできた温風は、温風の流れる方向を制御するルーバ２０を有する温風吹出口２１からを介して排出するようにしてあり、また温風吹出口２１およびルーバ２０を構成する材料はその表面が電気絶縁性を有する塗装鋼板で形成されている。
【００３３】
２２は、温風吹出口２１に設けたマイナスイオン発生手段で、マイナスイオン発生手段２２の周囲を流れる空気流上流側に遮蔽体２３を配設して、マイナスイオン発生手段２２から発生したマイナスイオンをマイナスイオン発生手段２２の周囲を流れる送風機からの空気流で拡散させるようにしてあり、マイナスイオン発生手段２２に送風機１８からの空気流が直接的に接触しないように構成してある。
【００３４】
２４は上記ポンプ１４や送風モータ１９を制御してバ−ナ部１６を燃焼させる制御部で、操作部から入力される運転条件信号に基づいてポンプ１４やバーナ部１６やマイナスイオン発生手段２２などを予め決められたシーケンスで制御するようになっている。
【００３５】
２５は燃焼状態を検出するフレームロッドで、このフレームロッド２５と本体ケース１１間に所定の電圧を印加しイオン電流を検出する。このとき本体ケース１１は電気的アース面として利用している。
【００３６】
上記構成において、カートリッジタンク１３から一定油面を保つようにタンク１２に供給されている液体燃料は、ポンプ１４によってタンク１２から吸い上げられ、送油パイプ１５を介してバ−ナ部１６に送られ燃焼され、発生した高温の燃焼排ガスは燃焼筒１７の上方へ流れてゆき、ダクト１９内で送風機１８からの室内空気流と混合され、温風として温風吹出口２１よりルーバ２０を介して吹き出し方向を制御され排出されて暖房に利用される。
【００３７】
そして、制御部２４は、マイナスイオン発生手段２２を送風機１８の送風と同期させて作動するようにしてあり、また、マイナスイオン発生手段２２から発生したマイナスイオンは、遮蔽体２３を設けてあるので、マイナスイオン発生手段２２に送風機１８からの空気流が直接的に接触せずに、マイナスイオン発生手段２２の周囲を流れる送風機１８からの空気流で拡散するようになる。
【００３８】
ここで、室内のプラスイオンとマイナスイオンのバランスが崩れ、プラスイオンとマイナスイオンのイオン比が大きくなりやすい暖房熱源を燃焼熱を用いたものにおいて、マイナスイオン発生手段２２を温風吹出口２１に配設してあるので、マイナスイオンが補充され、締め切った部屋で長時間使われても、プラスイオンとマイナスイオンのイオン比が大きくなり過ぎるのを防止出来、室内環境を高品位に保ちつつ室内全体も暖房することができるようになる。
【００３９】
そして、マイナスイオン発生手段２２から発生したマイナスイオンが該機器から放出されるまで、該機器の電気的アース面に接触するとマイナスイオンが電子を奪われ極端に減少してしまう問題があった。
【００４０】
そのため、マイナスイオン発生手段２２を温風吹出口２１に配設して、マイナスイオン発生手段２２から発生したマイナスイオンが該機器から放出されるまで、該機器の電気的アース面に接触しない位置にマイナスイオン発生手段２２を配設してあるので、マイナスイオン発生手段２２から発生したマイナスイオンが該機器から放出されるまで、該機器の電気的アース面に接触して減衰するのを防止出来、該機器から効率よく多量に放出することができ、適性の高い暖房装置を提供することができる。
【００４１】
また、マイナスイオン発生手段２２を温風吹出口２１に配設してあるので、マイナスイオン発生手段２２から放出されたマイナスイオンが温風によって、部屋全体まで到達させることが出来るようになり、マイナスイオンの効果がより効果的に発揮させることが出来るようになるとともに、送風手段も該機器の温風発生用とマイナスイオン用を送風機１８で兼ねることが出来、構成も簡単にすることが出来安価とすることが出来る。
【００４２】
さらに、マイナスイオン発生手段２２の空気流上流側に遮蔽体２３を配設して、マイナスイオン発生手段２２から発生したマイナスイオンをマイナスイオン発生手段２２の周囲を流れる送風機１８からの空気流で拡散させる構成としてあるので、マイナスイオン発生手段２２に送風機１８からの空気流が直接的に接触しないようにすることができ、送風機１８からの空気流に混入したホコリなどの異物がマイナスイオン発生手段２２に堆積して、マイナスイオン量の発生を妨げたり、あるいは、ほこりからの発火・発煙を生じることを防止することが出来、経年的に安定したマイナスイオン量の発生が得られると共に、安全性の高い機器を得ることが出来る。
【００４３】
そして、マイナスイオン発生手段２２の周囲および下流側の空気流路の表面は、電気絶縁性を有する塗装鋼板で形成してあるので、マイナスイオン量を減少させることなく機器より放出させることが出来るとともに、樹脂材料等の電気絶縁体で覆う構成よりも、高耐熱性を得ることが出来、樹脂材料部分の変形や発火・発煙などの心配が無くなり、さらに、簡単となり安価に構成とすることができる。
【００４４】
（実施例２）
図４は本発明の実施例２の温風暖房装置の要部断面図である。実施例１と同一部品は同一番号を付与して説明を省略する。
【００４５】
図４において、３１は、温風吹出口２１から離してダクト１９に設けたマイナスイオン発生手段で、温風吹出口２１より使用者が手を入れて触れないようにしてあり、マイナスイオン発生手段３１の周囲を流れる空気流上流側に遮蔽体３２を配設して、マイナスイオン発生手段３１から発生したマイナスイオンをマイナスイオン発生手段３１の周囲を流れる送風機１８からの空気流で拡散させるように構成してある。
【００４６】
３３は、マイナスイオン発生手段３１の下流側の空気流路の壁面を覆うように設けた電気絶縁体の樹脂材料で構成されたマイナスイオンカバ−で、マイナスイオン発生手段３１から発生したマイナスイオンが該機器の電気的アース面に接触しないようにしてあり、マイナスイオン量を減少させないようにしてある。
【００４７】
上記した構成において、設計的制約すなわちマイナスイオン発生手段３１には放電プラズマ方式や光電プラズマ方式など種々あるが、いずれの方法も、使用者が触れやすい位置に配置すると、マイナスイオン発生量が変化したり、使用者が感電する危険性を生じ、そのために、マイナスイオン発生手段３１を使用者が手を入れて触れない位置に配置しようとすると、どうしても、マイナスイオン発生手段３１の下流側の空気流路の壁面の部分に該機器の電気的アース面が位置してしまい、安全性とマイナスイオン発生手段３１の性能確保に対して制約を生じてしまう。
【００４８】
そこで、本実施例ではマイナスイオン発生手段３１の下流側の空気流路の壁面は、マイナスイオン量を減少させないように、電気絶縁体の樹脂材料で構成されたマイナスイオンカバ−で覆われているので、機器内部の設計的制約で、マイナスイオン発生手段３１の放出部が機器の奥まったところに位置してもマイナスイオンが該機器の電気的アース面に接触しないようになり、マイナスイオン発生手段３１から放出されたマイナスイオン量の減少を防止つつ、マイナスイオン発生手段３１の配置の設計的制約を大幅に緩和することが出来るようになる。
【００４９】
（実施例３）
図５は本発明の実施例３の温風暖房装置の要部断面図である。実施例１と同一部品は同一番号を付与して説明を省略する。
【００５０】
図５において、４１は、温風吹出口２１から離してダクトに設けたマイナスイオン発生手段４１で、温風吹出口２１より使用者が手を入れて触れないようにしてあり、マイナスイオン発生手段４１の周囲を流れる空気流上流側に遮蔽体４２を配設して、マイナスイオン発生手段４１から発生したマイナスイオンをマイナスイオン発生手段４１の周囲を流れる送風機１８からの空気流で拡散させるように構成してある。
【００５１】
またダクト４３および、温風吹出口２１およびルーバ１６を構成する材料はその表面が電気絶縁性を有する塗装鋼板で形成して、マイナスイオン発生手段４１から発生したマイナスイオンが該機器の電気的アース面に接触しないようにしてあり、マイナスイオン量を減少させないようにしてある。
【００５２】
上記した構成において、ダクト４３および、温風吹出口２１およびルーバ２０を構成する材料はその表面が電気絶縁性を有する塗装鋼板で形成してあるので、マイナスイオン発生手段４１の下流側の空気流路の壁表面を電気絶縁性を有し、マイナスイオン発生手段４１から発生したマイナスイオンが該機器の電気的アース面に接触しないようになり、マイナスイオン発生手段４１から放出されたマイナスイオンの減少を防止つつ、マイナスイオン発生手段４１の配置の設計的制約を大幅に緩和することが出来るようになる。
【００５３】
また、空気流路を電気絶縁体で形成する手段４１を、電気絶縁性を保持させる処理すなわち電気絶縁性を有する塗装鋼板で形成してあるので、実施例２の樹脂材料等の電気絶縁体で覆う構成の効果に加え、高耐熱性を得ることが出来、樹脂材料部分の変形や発火・発煙などの心配が無くなり、さらに、構成が簡単となり安価にすることができる。
【００５４】
なお上記実施例では、高温ガス発生手段を燃料を燃焼させるバーナ部１６を有し、その燃焼ガスを用いたもので説明したが、これは燃料を燃焼させないものでもよく、また、実施例２のマイナスイオンカバ−３２は電気絶縁体の樹脂材料で構成したがこれは、セラミックなどの電気絶縁体であればよく、さらに、実施例３では、ダクト４３全体を電気絶縁性を有する塗装鋼板で形成したが、これは、マイナスイオン発生手段４１の下流側の空気流路の壁面のみに電気絶縁性を保持させる処理例えば電気絶縁性を有する塗装を施してもよく、あるいは、電気絶縁性を有する塗装鋼板で覆ってもよく、その他各部の構成も本発明の目的を達成する範囲であればその構成はどのようなものであってもよい。
【００５５】
【発明の効果】
以上説明したように本発明の温風暖房装置によれば、送風機からの空気流路の適所に放電式のマイナスイオン発生手段を配設してあるので、風路抵抗になることもなく、締め切った部屋で長時間使われても、マイナスイオンが補充され、プラスイオンとマイナスイオンのイオン比が大きくなり過ぎるのを防止でき、室内環境を高品位に保ちつつ、室内全体も暖房することができるようになる。また、放電式のマイナスイオン発生手段から発生したマイナスイオンが機器から放出されるまで、機器の電気的アース面に接触しない位置にマイナスイオン発生手段を配設してあるので、マイナスイオン発生手段から発生したマイナスイオンが金属筐体の電気的アース面に接触して減衰するのを防止でき、機器から効率よく多量に放出することができ、快適性の高い暖房装置を提供することができる。
【００５６】
さらに、空気流路の適所にマイナスイオン発生手段を配設してあるので、マイナスイオン発生手段から放出されたマイナスイオンが温風によって部屋全体まで到達させることができ、マイナスイオンの効果をより効果的に発揮させることができるとともに、送風手段も機器の温風発生用とマイナスイオン用を兼ねることができ、構成も簡単で安価に提供できる。
【図面の簡単な説明】
【図１】本発明の実施例１の温風暖房装置の要部断面図
【図２】同温風暖房装置の断面図
【図３】同温風暖房装置の制御ブロック図
【図４】本発明の実施例２における温風暖房装置の要部断面図
【図５】本発明の実施例３における温風暖房装置の要部断面図
【図６】従来の温風暖房装置の断面図
【符号の説明】
１１  本体ケース（金属筐体）
１６  バーナ部（高圧ガス発生手段）
１８  送風機
１９  ダクト（空気流路）
２１  温風吹出口
２２  マイナスイオン発生手段
【図１】
2004190970.tif 000003
【図２】
2004190970.tif 000004
【図３】
2004190970.tif 000005
【図４】
2004190970.tif 000006
【図５】
2004190970.tif 000007
【図６】
2004190970.tif 000008